(57)【要約】【課題】  ２つのプラスチックレンズからなる高密度光ディスク用の対物レンズであって、対物レンズ内に不均一な温度分布が生じた場合でも、非点収差の変化が小さく記録／再生に優れた対物レンズ及びこの対物レンズを用いた光ピックアップ装置及び光情報記録再生装置を提供する。【解決手段】  正の屈折力を有する第１及び第２プラスチックレンズＬ１及びＬ２から構成される対物レンズＯＢＪ、対物レンズを駆動させるアクチュエータＡＣ等を備え、アクチュエータに対する通電時の発熱により、対物レンズ内の温度分布が不均一となる光ピックアップ装置ＰＵにおいて、対物レンズの焦点距離をｆ（mm）、第１プラスチックレンズの光源側光学面と光情報記録媒体側光学面との光軸上の間隔をｄ1（mm）とした時に、次式（１）を満たすことを特徴とする。０．６＜ｄ1／ｆ＜１．２・・・（１）【選択図】図１
2005085423.tif 000002
【特許請求の範囲】
【請求項１】
波長λの光束を出射する光源と、正の屈折力を有する第1プラスチックレンズ及び正の屈折力を有する第2プラスチックレンズの少なくとも2つ以上のプラスチックレンズから構成される対物レンズと、前記対物レンズを駆動させるアクチュエータとを備え、前記アクチュエータに対する通電時の発熱により、前記対物レンズ内における温度分布が不均一となる光ピックアップ装置であって、
前記対物レンズの焦点距離をｆ（mm）、前記第１プラスチックレンズの光源側光学面と光情報記録媒体側光学面との光軸上の間隔をｄ1（mm）とした時に、次式（１）を満たすことを特徴とする光ピックアップ装置。
０．６  ＜  ｄ1／ｆ  ＜  １．２      （１）
【請求項２】
請求項１に記載の光ピックアップ装置であって、
次式（１´）を満たすことを特徴とする光ピックアップ装置。
０．６  ＜  ｄ1／ｆ  ＜  ０．９２      （１´）
【請求項３】
波長λの光束を出射する光源と、正の屈折力を有する第1プラスチックレンズ及び正の屈折力を有する第2プラスチックレンズの少なくとも2つ以上のプラスチックレンズから構成される対物レンズと、前記対物レンズを駆動させるアクチュエータとを備え、前記アクチュエータに対する通電時の発熱により、前記対物レンズ内における温度分布が不均一となる光ピックアップ装置であって、
前記第１プラスチックレンズの焦点距離をｆ1(mm)、前記第１プラスチックレンズの倍率をβ１、前記第２プラスチックレンズの焦点距離をｆ2(mm)、前記第２プラスチックレンズの倍率をβ２としたときに、次式（２）を満たすことを特徴とする光ピックアップ装置。
２．２  ＜  ｆ1・（１−β１）／（ｆ2・（１−β２））  ＜  ４．２    （２）
【請求項４】
請求項３記載の光ピックアップ装置であって、
次式（２´）を満たすことを特徴とする光ピックアップ装置。
２．２  ＜  ｆ1・（１−β１）／（ｆ2・（１−β２））  ＜  ４．０    （２´）
【請求項５】
請求項１〜４のいずれか一項に記載の光ピックアップ装置であって、
前記対物レンズが上記式（１）、（１´）、（２）又は（２´）を満たすことにより、前記アクチュエータに対する通電時に前記対物レンズ内における温度分布が不均一となった場合の非点収差変化を抑えることを特徴とする光ピックアップ装置。
【請求項６】
請求項１〜５のいずれか一項に記載の光ピックアップ装置であって、
前記アクチュエータに対する通電時における前記対物レンズの周方向の温度分布をＴＰ(℃)、光軸に垂直な方向の温度分布をＴＲ(℃)としたとき、次式（３）及び（４）を満たすことを特徴とする光ピックアップ装置。
ＴＰ＝｜ＴＨ−ＴＬ｜＞０．５                          （３）
ＴＲ＝｜ＴＨ−ＴＣ｜＞０．５                          （４）
尚、前記第１プラスチックレンズの光源側光学面の面頂点の温度をＴ１(℃)、前記第２プスチックレンズの光情報記録媒体側光学面の面頂点の温度をＴ２(℃)とし、前記第１プラスチックレンズの光軸上におけるレンズ厚の中点を通り光軸に垂直な第１線、及び該第１線を光軸を中心として９０度回転させた線が、それぞれ前記第１プラスチックレンズの外周と交差する点の温度をそれぞれＴ３(℃)、Ｔ４(℃)、Ｔ５(℃)、Ｔ６(℃)としたとき、前記Ｔ３乃至Ｔ６の内もっとも高い温度をＴＨ、最も低い温度をＴＬとし、前記Ｔ１とＴ２の平均温度をＴＣとし、前記Ｔ１〜Ｔ６は、前記アクチュエータに対する通電時における前記対物レンズ内の温度分布変化が定常状態となった後に測定するものとする。
【請求項７】
請求項１〜６のいずれか一項に記載の光ピックアップ装置であって、前記第１プラスチックレンズと前記第２プラスチックレンズの光軸上の間隔をｄ12としたとき、次式（５）を満たすことを特徴とする光ピックアップ装置。
０．１  ＜  ｄ12／ｆ  ＜  ０．４      （５）
【請求項８】
請求項１〜７のいずれか一項に記載の光ピックアップ装置であって、
前記対物レンズの像側開口数ＮＡが０．８以上とされたことを特徴とする光ピックアップ装置。
【請求項９】
請求項１〜８のいずれか一項に記載の光ピックアップ装置であって、
前記アクチュエータが少なくともフォーカシング用のコイルとトラッキング用のコイルとを備え、前記フォーカシング用のコイルと前記トラッキング用のコイルの内少なくとも一方は、その重心が前記第２プラスチックレンズの重心位置よりも前記光源側に位置するように配置されることを特徴とする光ピックアップ装置。
【請求項１０】
請求項１〜９のいずれか一項に記載の光ピックアップ装置であって、
前記第１プラスチックレンズはその光学機能部よりも周辺側の部分に第１フランジ部を有し、前記第２プラスチックレンズはその光学機能部よりも周辺側の部分に第２フランジ部を有し、前記第１フランジ部の少なくとも一部と前記第２フランジ部の少なくとも一部を当接することで、前記第１プラスチックレンズと前記第２プラスチックレンズは一体化され、前記第１フランジ部を含めた前記第１プラスチックレンズの外径をＤ１（mm）、前記第２フランジ部を含めた前記第２プラスチックレンズの外径をＤ２(mm)と規定したとき、次式（６）を満たすと共に、前記第１プラスチックレンズが前記アクチュエータにより駆動されるボビンに保持されることを特徴とする光ピックアップ装置。
Ｄ１  ＞  Ｄ２      （６）
【請求項１１】
請求項１０に記載の光ピックアップ装置であって、
前記第１プラスチックレンズの光源側光学面の有効径をＥ１(mm)としたとき、次式（７）を満たすことを特徴とする光ピックアップ装置。
０．４  ＜  Ｅ１／Ｄ１  ＜  ０．６５      （７）
【請求項１２】
請求項１〜１１のいずれか一項に記載の光ピックアップ装置を搭載して前記光情報記録媒体に対する情報の記録及び前記光情報記録媒体に記録された情報の再生のうち少なくとも一方を実行可能であることを特徴とする光情報記録再生装置。
【請求項１３】
正の屈折力を有する第１プラスチックレンズ及び正の屈折力を有する第２プラスチックレンズの少なくとも２つ以上のプラスチックレンズから構成される光ピックアップ装置用の対物レンズであって、
前記対物レンズの焦点距離をｆ（mm）、前記第1プラスチックレンズの光源側光学面と光情報記録媒体側光学面との光軸上の間隔をｄ1（mm）とした時に、次式（１）を満たすことにより、前記対物レンズを駆動させるアクチュエータに対する通電時の発熱により、前記対物レンズ内における温度分布が不均一となった場合に発生する非点収差変化を抑制することを特徴とする対物レンズ。
０．６＜  ｄ1／ｆ  ＜１．２      （１）
【請求項１４】
請求項１３に記載の対物レンズであって、
次式（１´）を満たすことを特徴とする対物レンズ。
０．６＜  ｄ1／ｆ  ＜０．９２      （１´）
【請求項１５】
正の屈折力を有する第１プラスチックレンズ及び正の屈折力を有する第２プラスチックレンズの少なくとも２つ以上のプラスチックレンズから構成される光ピックアップ用の対物レンズであって、
前記第１プラスチックレンズの焦点距離をｆ1(mm)、前記第１プラスチックレンズの倍率をβ１、前記第２プラスチックレンズの焦点距離をｆ2(mm)、前記第２プラスチックレンズの倍率をβ２としたときに、次式（２）を満たすことにより、前記対物レンズを駆動させるアクチュエータに対する通電時の発熱により、前記対物レンズ内における温度分布が不均一となった場合に発生する非点収差変化を抑制することを特徴とする対物レンズ。
２．２  ＜  ｆ1・（１−β１）／（ｆ2・（１−β２））  ＜  ４．２    （２）
【請求項１６】
請求項１５に記載の対物レンズであって、
次式（２´）を満たすことを特徴とする対物レンズ。
２．２  ＜  ｆ1・（１−β１）／（ｆ2・（１−β２））  ＜  ４．０    （２´）
【請求項１７】
請求項１３〜１６のいずれか一項に記載の対物レンズであって、
前記アクチュエータに対する通電時における前記対物レンズの周方向の温度分布をＴＰ(℃)、光軸に垂直な方向の温度分布をＴＲ (℃)としたとき、次式（３）及び（４）を満たすことを特徴とする対物レンズ。
ＴＰ＝｜ＴＨ−ＴＬ｜ > ０．５                         （３）
ＴＲ＝｜ＴＨ−ＴＣ｜＞０．５                          （４）
尚、前記アクチュエータに対する通電時における前記第１プラスチックレンズの光源側光学面の面頂点の温度をＴ１(℃)、前記第２プラスチックレンズの光情報記録媒体側光学面の面頂点の温度をＴ２(℃)とし、前記第１プラスチックレンズの光軸上におけるレンズ厚の中点を通り光軸に垂直な第１線、及び該第１線を光軸を中心として９０度回転させた線が、それぞれ前記第１プラスチックレンズの外周と交差する点の温度をそれぞれＴ３(℃)、Ｔ４(℃)、Ｔ５(℃)、Ｔ６(℃)としたとき、前記Ｔ３乃至Ｔ６のうち、もっとも高い温度をＴＨ，最も低い温度をＴＬとし、前記Ｔ１とＴ２の平均温度をＴＣとし、前記Ｔ１〜Ｔ６は、前記アクチュエータに対する通電時における前記対物レンズ内の温度分布変化が定常状態となった後に測定するものとする。
【請求項１８】
請求項１３〜１７のいずれか一項に記載の対物レンズであって、前記第１プラスチックレンズと前記第２プラスチックレンズの光軸上の間隔をｄ12としたとき、次式（５）を満たすことを特徴とする対物レンズ。
０．１  ＜  ｄ12／ｆ  ＜  ０．４      （５）
【請求項１９】
請求項１３〜１８のいずれか一項に記載の対物レンズであって、
像側開口数ＮＡが０．８以上とされたことを特徴とする対物レンズ。
【請求項２０】
請求項１３〜１９のいずれか一項に記載の対物レンズであって、
前記第１プラスチックレンズ及び前記第２プラスチックレンズが、共に光源側に凸のメニスカスレンズであり、前記第２プラスチックレンズの光源側光学面の近軸曲率半径をｒ１、光情報記録媒体側光学面の近軸曲率半径をｒ２としたとき、次式（８）を満たすことを特徴とする対物レンズ。
１．０  ＜  （ｒ２＋ｒ１）／（ｒ２−ｒ１）  ＜  １．７    （８）
【請求項２１】
請求項１３〜２０のいずれか一項に記載の対物レンズであって、
前記第１プラスチックレンズはその光学機能部よりも周辺側の部分に第１フランジ部を有し、前記第２プラスチックレンズはその光学機能部よりも周辺側の部分に第２フランジ部を有し、前記第１フランジ部の少なくとも一部と前記第２フランジ部の少なくとも一部を当接することで、前記第１プラスチックレンズと前記第２プラスチックレンズは一体化され、前記第１フランジ部を含めた前記第１プラスチックレンズの外径をＤ１（mm）、前記第２フランジ部を含めた前記第２プラスチックレンズの外径をＤ２(mm)と規定したとき、次式（６）を満たすと共に、前記第１プラスチックレンズが前記アクチュエータにより駆動されるボビンに保持されることを特徴とする対物レンズ。
Ｄ１  ＞  Ｄ２      （６）
【請求項２２】
請求項２１に記載の対物レンズであって、
前記第１プラスチックレンズの光源側の光学面の有効径をＥ１(mm)としたとき、次式（７）を満たすことを特徴とする対物レンズ。
０．４  ＜  Ｅ１／Ｄ１  ＜  ０．６５      （７）
【発明の詳細な説明】
【技術分野】
【０００１】
本発明は、光ピックアップ装置、光情報記録再生装置及び光ピックアップ装置用の対物レンズに関する。
【背景技術】
【０００２】
近年の光ディスク（光情報記録媒体）の高密度化に伴い、光ディスクへの記録／再生に使用される光ピックアップ装置の対物レンズは、集光スポットをより小さくするという要求からその開口数（NA）が高いものが用いられるようになっている。
【０００３】
例えば、波長λが405nmの青紫色半導体レーザー光源を使用する高密度光ディスク用の光ピックアップ装置では、高密度化を達成するために開口数NAが0.85の対物レンズを用いることが提案されている。
【０００４】
また、ＣＤ（コンパクトディスク）、ＭＯ（光磁気ディスク）、ＤＶＤ（デジタルバーサタイルディスク）等の光ディスクへの記録／再生に使用される対物レンズには、軽量且つ金型を用いた射出成形により低コストで大量生産できるなどの理由により、主にプラスチックレンズが使用されている。従って、高密度光ディスクの光ピックアップ装置においても同様の理由により対物レンズとして、プラスチックレンズを使用するのが望ましい。
【０００５】
ところが、量産が成立するような十分な製造公差を確保しつつＮＡ0.85という高開口数を実現した対物レンズにするには、屈折力を２つのレンズに分割して個々のレンズの製造公差を緩和させるため、少なくとも２群のレンズ構成とする必要があり、例えば、特許文献１及び２のような２群構成の高ＮＡプラスチックレンズが提案されている。
【特許文献１】特開２００２−２３６２５２号公報
【特許文献２】特開２００３−６９０８号公報
【発明の開示】
【発明が解決しようとする課題】
【０００６】
光ピックアップ装置では、一般に、アクチュエータにより対物レンズを光軸方向、ディスクの径方向に移動させることでフォーカシングやトラッキングを行う。この際アクチュエータを構成するフォーカシングコイルやトラッキングコイルに通電することでコイルに生じる磁場とマグネットとの間に生じる磁力を利用して、対物レンズを駆動させるようになっている。
【０００７】
ところが、２群構成の高ＮＡプラスチックレンズを上記のように駆動させる場合、以前までの構成には無い問題が生じる可能性がある。２群構成のプラスチックレンズは１群構成に比べ体積が大きくなる傾向があり、フォーカシングコイルやトラッキングコイルに通電した際に発生する熱の影響により、対物レンズ内で不均一な温度分布が生じやすい。
【０００８】
フォーカシングコイルやトラッキングコイルを対物レンズの光軸に関して、回転対称と成るように設計・配置することは、アクチュエータの機構上困難であるので、アクチュエータの作動中には、対物レンズ内に光軸に対して非回転対称な温度分布が生じ、その結果、対物レンズの非点収差が変化する。特に、対物レンズを２群構成のプラスチックレンズとする場合には、ＮＡ０．８５の光線に対する屈折力を２つのレンズに振り分けているため、各々のレンズ内での光線通過高さの変化が小さく、温度分布に伴う屈折率変化の影響を受けやすい。そのため、上述した非点収差変化が大きくなり、光ディスクに対する記録／再生特性に悪影響を及ぼす。
【０００９】
しかし、特許文献１及び２に開示された技術はいずれも、対物レンズに生じる温度変化が均一に分布している場合に変化する球面収差を補正する技術であり、上述した様に、フォーカシングコイルやトラッキングコイルに通電した際に生じる熱による、対物レンズ内の不均一な温度分布に起因した非点収差劣化の問題についての記載は無く、勿論何ら対策も講じられていない。
【００１０】
本発明の課題は、上述の問題を考慮したものであり、２つのプラスチックレンズから構成された対物レンズ内に光軸に対し非回転対称な温度分布が発生した場合の非点収差の変化量が小さく、高密度光ディスクに対して安定した情報の記録／再生を行うことが出来る光ピックアップ装置、及びこの光ピックアップ装置を用いた光情報記録再生装置を提供することである。
【００１１】
また、２つのプラスチックレンズから構成され、高密度光ディスクの光ピックアップ装置用の対物レンズとして好適な対物レンズであって、対物レンズ内に不均一な温度分布が生じた場合でも、非点収差の変化が小さく記録／再生に優れた対物レンズを提供することである。
【課題を解決するための手段】
【００１２】
以上の課題を解決するために、請求項１に記載の発明は、波長λの光束を出射する光源と、正の屈折力を有する第1プラスチックレンズ及び正の屈折力を有する第2プラスチックレンズの少なくとも2つ以上のプラスチックレンズから構成される対物レンズと、前記対物レンズを駆動させるアクチュエータとを備え、前記アクチュエータに対する通電時の発熱により、前記対物レンズ内における温度分布が不均一となる光ピックアップ装置であって、前記対物レンズの焦点距離をｆ（mm）、前記第１プラスチックレンズの光源側光学面と光情報記録媒体側光学面との光軸上の間隔をｄ1（mm）とした時に、次式（１）を満たすことを特徴とする。
【００１３】
０．６  ＜  ｄ1／ｆ  ＜  １．２      （１）
請求項２に記載の発明は、請求項１に記載の光ピックアップ装置であって、次式（１´）を満たすことを特徴とする。
【００１４】
０．６  ＜  ｄ1／ｆ  ＜  ０．９２      （１´）
先ず、ここで本明細書における対物レンズの温度分布について定義する。図５（a）〜（ｃ）に示すように、対物レンズＯＢＪを構成する第１プラスチックレンズＬ１と第２プラスチックレンズＬ２は、その光学機能部（図５において斜線部）よりも周辺側の部分に、それぞれ光学機能部と一体に成形された第１フランジ部ＦＬ１と第２フランジ部ＦＬ２とを有しており、第１フランジ部と第２フランジ部の一部同士（図５（ｂ）において当接部Ｍ）を当接することで第１プラスチックレンズＬ１と第２プラスチックレンズＬ２は一体化されている。
【００１５】
そして、アクチュエータ（図示せず）の駆動時（コイルへの通電時）における、第１面（第１プラスチックレンズＬ１の光源側光学面）の面頂点Ｐ１の温度をＴ１（℃）、第４面（第２プラスチックレンズＬ２の光記録媒体側光学面）の面頂点Ｐ２の温度をＴ２（℃）、第１プラスチックレンズＬ１のレンズ厚さ（光軸上の光学面の間隔）の中点を通り光軸に垂直な任意の線ＣＬと、光線を中心として線ＣＬを９０度回転させた線ＣＬ'とが、第１フランジ部ＦＬ１の外周と交わる点Ｐ３、Ｐ４、Ｐ５、Ｐ６の温度をそれぞれＴ３（℃）、Ｔ４（℃）、Ｔ５（℃）、Ｔ６（℃）とし、Ｔ３〜Ｔ６の内もっとも高い温度をＴＨ、最も低い温度をＴＬとし、Ｔ１とＴ２の平均温度をＴＣとしたとき、周方向の温度分布ＴＰと光軸に垂直な方向の温度分布ＴＲとが、以下の２条件式（３）及び（４）を満たしている場合に「対物レンズ内に不均一な温度分布が生じている」と定義する。
ＴＰ＝｜ＴＨ−ＴＬ｜ > ０．５                        （３）
ＴＲ＝｜ＴＨ−ＴＣ｜＞０．５                         （４）
また「対物レンズ内の温度分布が均一である」とは、式（３）、（４）を同時に満たさない場合を指す。
【００１６】
また、これら全ての温度は対物レンズ内の温度分布変化が定常状態となった後に測定した値とする。本明細書において「対物レンズ内の温度分布変化が定常状態になる」とは、温度変化率の絶対値が、Ｐ１〜Ｐ６の全ての測定点で０．１℃／分 以下である状態を指す。
【００１７】
２群構成の高ＮＡプラスチックレンズでは、光源側に配置される第１プラスチックレンズの方が、光情報記録媒体側に配置される第２プラスチックレンズよりも、マージナル光線の通過高さが高い。そのため、ＮＡ０．８５の光線は温度分布に伴う屈折率分布の影響を第１プラスチックレンズにおいて受けやすい。
【００１８】
請求項１に記載の発明によれば、対物レンズを（１）式の上限未満となるように設計することにより、ＮＡ０．８５の光線が受ける温度分布に伴う屈折率変化の影響を低減することが出来るので、少なくとも２群以上の構成からなるプラスチックレンズで構成された対物レンズを用いた光ピックアップ装置でも、フォーカシングコイルやトラッキングコイルに対して通電されたことに起因し発生する非点収差を小さく抑えることが可能である。しかし、ｄ1／ｆの値を小さくしすぎると第１プラスチックレンズの光学面同士の偏芯誤差感度が大きくなりすぎてしまう。そこでｄ1／ｆの下限を０．６と定めることにより、第１プラスチックレンズの偏芯誤差感度を低減し量産における収率を高めることが出来る。
【００１９】
なお、ｄ1／ｆの値を請求項２の式（１´）の範囲内とすることがより好ましい。
【００２０】
請求項３に記載の発明は、波長λの光束を出射する光源と、正の屈折力を有する第1プラスチックレンズ及び正の屈折力を有する第2プラスチックレンズの少なくとも2つ以上のプラスチックレンズから構成される対物レンズと、前記対物レンズを駆動させるアクチュエータとを備え、前記アクチュエータに対する通電時の発熱により、前記対物レンズ内における温度分布が不均一となる光ピックアップ装置であって、前記第１プラスチックレンズの焦点距離をｆ1(mm)、前記第１プラスチックレンズの倍率をβ１、前記第２プラスチックレンズの焦点距離をｆ2(mm)、前記第２プラスチックレンズの倍率をβ２としたときに、次式（２）を満たすことを特徴とする。
２．２  ＜  ｆ1・（１−β１）／（ｆ2・（１−β２））  ＜  ４．２    （２）
請求項４に記載の発明は、請求項３記載の光ピックアップ装置であって、次式（２´）を満たすことを特徴とする。
２．２  ＜  ｆ1・（１−β１）／（ｆ2・（１−β２））  ＜  ４．０    （２´）
請求項３に記載の発明によれば、ｆ1、β１、ｆ2、β２の関係を（２）式の上限未満にすることで、ＮＡ０．８５の光線が受ける温度分布に伴う屈折率変化の影響を低減することが出来るので、フォーカシングコイルやトラッキングコイルに対して通電されたことで生じる前記プラスチックレンズの不均一な温度分布に起因して発生する非点収差を小さく抑えることが可能であり、f1、β１、f2、β２の関係を（２）式の下限より大きくすることで光ディスクと干渉しないだけの十分な作動距離を確保することが出来る。
【００２１】
なお、f1、β１、f2、β２の関係を請求項４の式（２´）の範囲内とすることがより好ましい。
【００２２】
請求項５に記載の発明は、請求項１〜４のいずれか一項に記載の光ピックアップ装置であって、前記対物レンズが上記式（１）、（１´）、（２）又は（２´）を満たすことにより、前記アクチュエータに対する通電時に前記対物レンズ内における温度分布が不均一となった場合の非点収差変化を抑えることを特徴とする。
【００２３】
請求項５に記載の発明によればアクチュエータに対する通電時に対物レンズ内における温度分布が不均一となった場合でも、非点収差の変化を抑えることが出来る。
【００２４】
尚、本発明において、対物レンズの非点収差変化を引き起こし、式（３）及び（４）で定義される不均一な温度分布としては、例えば、光軸からの高さhの２乗に比例して変化し、且つ、光軸に関して非回転対称な温度分布が挙げられる。
【００２５】
請求項６に記載の発明は、請求項１〜５のいずれか一項に記載の光ピックアップ装置であって、前記アクチュエータに対する通電時における前記対物レンズの周方向の温度分布をＴＰ(℃)、光軸に垂直な方向の温度分布をＴＲ(℃)としたとき、次式（３）及び（４）を満たすことを特徴とする。
【００２６】
ＴＰ＝｜ＴＨ−ＴＬ｜ > ０．５                         （３）
ＴＲ＝｜ＴＨ−ＴＣ｜＞０．５                          （４）
請求項７に記載の発明は、請求項１〜６のいずれか一項に記載の光ピックアップ装置であって、前記第１プラスチックレンズと前記第２プラスチックレンズの光軸上の間隔をｄ12としたとき、次式（５）を満たすことを特徴とする。
０．１  ＜  ｄ12／ｆ  ＜  ０．４      （５）
請求項８に記載の発明は、請求項１〜７のいずれか一項に記載の光ピックアップ装置であって、前記対物レンズの像側開口数ＮＡが０．８以上とされたことを特徴とする。
【００２７】
請求項８に記載の発明によれば、光ピックアップ装置を、波長４００nm程度の青紫色半導体レーザー光源と像側開口数ＮＡが０．８５程度の対物レンズを用いる、保護層０．１mm程度の高密度光ディスクに対して好適に用いることが出来る。
【００２８】
請求項９に記載の発明は、請求項１〜８のいずれか一項に記載の光ピックアップ装置であって、前記アクチュエータが少なくともフォーカシング用のコイルとトラッキング用のコイルとを備え、前記フォーカシング用のコイルと前記トラッキング用のコイルの内少なくとも一方は、その重心が前記第２プラスチックレンズの重心位置よりも前記光源側に位置するように配置されることを特徴とする。
【００２９】
請求項９に記載の発明によれば、２群構成レンズは通常前記第１プラスチックレンズの体積のほうが大きくなり、２群構成レンズの重心が前記第２プラスチックレンズの重心よりも光源側に存在する傾向があるので、フォーカシングコイル又はトラッキングコイルの重心を前記第２プラスチックレンズの重心よりも光源側にすることで安定したフォーカシングやトラッキングを行うことが出来る。
【００３０】
請求項１０に記載の発明は、請求項１〜９のいずれか一項に記載の光ピックアップ装置であって、前記第１プラスチックレンズはその光学機能部よりも周辺側の部分に第１フランジ部を有し、前記第２プラスチックレンズはその光学機能部よりも周辺側の部分に第２フランジ部を有し、前記第１フランジ部の少なくとも一部と前記第２フランジ部の少なくとも一部を当接することで、前記第１プラスチックレンズと前記第２プラスチックレンズは一体化され、前記第１フランジ部を含めた前記第１プラスチックレンズの外径をＤ１（mm）、前記第２フランジ部を含めた前記第２プラスチックレンズの外径をＤ２(mm)と規定したとき、次式（６）を満たすと共に、前記第１プラスチックレンズが前記アクチュエータにより駆動されるボビンに保持されることを特徴とする。
【００３１】
Ｄ１  ＞  Ｄ２      （６）
請求項１０に記載の発明によれば、前記プラスチックレンズの光学機能部より周辺部にフランジを有し、それらを当接することで２群レンズをなす場合、新たに当接用の部品を作るよりもコストや2群レンズ組み立ての容易性において勝る。また、第1プラスチックレンズのほうが第2プラスチックレンズより光学機能部が大きいため、対物レンズの重心位置は、第２プラスチックレンズよりも、第１プラスチックレンズに近い側に位置することになる。そこで、第１フランジ部及び第２フランジ部の形状を式（６）を満たすように設定して、第１プラスチックレンズをボビンに保持させるようにすることで安定したフォーカシングやトラッキングを行うことが出来る。この場合、第１プラスチックレンズが光ピックアップ装置の動作中の熱源となるフォーカシングコイルにより近い位置に配置されることになるため、第１プラスチックレンズ内に不均一な温度分布が生じ易くなるという不都合が生じるが、本発明による光ピッカップ装置では、対物レンズが上述の式（１）、（１´）、（２）又は（２´）を満たすように設計されているので、かかる対物レンズの温度分布の不均一性に起因して発生する非点収差を小さく抑えることが出来る。
【００３２】
請求項１１に記載の発明は、請求項１０に記載の光ピックアップ装置であって、前記第１プラスチックレンズの光源側光学面の有効径をＥ１(mm)としたとき、次式（７）を満たすことを特徴とする。
【００３３】
０．４  ＜  Ｅ１／Ｄ１  ＜  ０．６５      （７）
請求項１１に記載の発明によれば、Ｅ１，Ｄ１を式（７）の上限未満にすることは対物レンズの外径に対する有効径の比を小さくすることを表し、光学機能部内における温度分布の不均一性が低減される。したがって、本発明における光ピックアップ装置においては式（１）及び（７）あるいは式（２）及び（７）を満たすことにより、効果的に不均一な温度分布による非点収差変化を抑制することが可能である。また、下限より大きくすることで、対物レンズの外径が大きくなりすぎることを防ぐ。
【００３４】
請求項１２に記載の発明は、請求項１〜１１のいずれか一項に記載の光ピックアップ装置を搭載して前記光情報記録媒体に対する情報の記録及び前記光情報記録媒体に記録された情報の再生のうち少なくとも一方を実行可能であることを特徴とする。
【００３５】
請求項１２に記載の発明によれば、請求項１〜１１のいずれかの作用効果を持つ光情報記録再生装置の製造が可能である。
【００３６】
請求項１３に記載の発明は、正の屈折力を有する第１プラスチックレンズ及び正の屈折力を有する第２プラスチックレンズの少なくとも２つ以上のプラスチックレンズから構成される光ピックアップ装置用の対物レンズであって、前記対物レンズの焦点距離をｆ（mm）、前記第1プラスチックレンズの光源側光学面と光情報記録媒体側光学面との光軸上の間隔をｄ1（mm）とした時に、次式（１）を満たすことにより、前記対物レンズを駆動させるアクチュエータに対する通電時の発熱により、前記対物レンズ内における温度分布が不均一となった場合に発生する非点収差変化を抑制することを特徴とする。
【００３７】
０．６＜  ｄ1／ｆ  ＜１．２      （１）
請求項１４に記載の発明は、請求項１３に記載の対物レンズであって、次式（１´）を満たすことを特徴とする。
【００３８】
０．６＜  ｄ1／ｆ  ＜０．９２      （１´）
２群構成の高ＮＡプラスチックレンズでは、光源側に配置される第１プラスチックレンズの方が、光情報記録媒体側に配置される第２プラスチックレンズよりも、マージナル光線の通過高さが高い。そのためＮＡ０．８５の光線は温度分布に伴う屈折率分布の影響を第１プラスチックレンズにおいて受けやすい。
【００３９】
請求項１３に記載の発明によれば、対物レンズを（１）式を満たす様に設計することで、ＮＡ０．８５の光線が受ける温度分布に伴う屈折率変化の影響を低減することが出来るので、少なくとも２群以上の構成からなるプラスチックレンズで構成された対物レンズを用いた光ピックアップ装置でも、使用時の光情報記録媒体の情報記録面における非点収差変化を抑えることが可能となり、高密度光ディスクに対して安定した情報の記録／再生を行うことが出来る。
【００４０】
なお、ｄ1／ｆの値を請求項１４の式（１´）の範囲内とすることがより好ましい。
【００４１】
請求項１５に記載の発明は、正の屈折力を有する第１プラスチックレンズ及び正の屈折力を有する第２プラスチックレンズの少なくとも２つ以上のプラスチックレンズから構成される光ピックアップ用の対物レンズであって、前記第１プラスチックレンズの焦点距離をｆ1(mm)、前記第１プラスチックレンズの倍率をβ１、前記第２プラスチックレンズの焦点距離をｆ2(mm)、前記第２プラスチックレンズの倍率をβ２としたときに、次式（２）を満たすことにより、前記対物レンズを駆動させるアクチュエータに対する通電時の発熱により、前記対物レンズ内における温度分布が不均一となった場合に発生する非点収差変化を抑制することを特徴とする。
【００４２】
２．２  ＜  ｆ1・（１−β１）／（ｆ2・（１−β２））  ＜  ４．２    （２）
請求項１６に記載の発明は、請求項１５に記載の対物レンズであって、次式（２´）を満たすことを特徴とする。
【００４３】
２．２  ＜  ｆ1・（１−β１）／（ｆ2・（１−β２））  ＜  ４．０    （２´）
請求項１５に記載の発明によると、２群対物レンズのｆ1、β１、ｆ2、β２の関係を（２）式の上限未満にすることで、ＮＡ０．８５の光線が受ける温度分布に伴う屈折率変化の影響を低減することが出来るので、フォーカシングコイルやトラッキングコイルに対して通電されたことに起因し発生する非点収差を小さく抑えることが可能であり、２群対物レンズのｆ1、β１、ｆ2、β２の関係を（２）式の下限より大きくすることで、十分な作動距離を確保することが出来る対物レンズが製造可能である。
【００４４】
なお、f1、β１、f2、β２の関係を請求項１６の式（２´）の範囲内とすることがより好ましい。
【００４５】
請求項１７に記載の発明は、請求項１３〜１６のいずれか一項に記載の対物レンズであって、前記アクチュエータに対する通電時における前記対物レンズの周方向の温度分布をＴＰ(℃)、光軸に垂直な方向の温度分布をＴＲ (℃)としたとき、次式（３）及び（４）を満たすことを特徴とする。
【００４６】
ＴＰ＝｜ＴＨ−ＴＬ｜ > ０．５                         （３）
ＴＲ＝｜ＴＨ−ＴＣ｜＞０．５                          （４）
請求項１８記載の発明は、請求項１３〜１７のいずれか一項に記載の対物レンズであって、前記第１プラスチックレンズと前記第２プラスチックレンズの光軸上の間隔をｄ12としたとき、次式（５）を満たすことを特徴とする。
０．１  ＜  ｄ12／ｆ  ＜  ０．４      （５）
請求項１９に記載の発明は、請求項１３〜１８のいずれか一項に記載の対物レンズであって、像側開口数ＮＡが０．８以上とされたことを特徴とする。
【００４７】
請求項１９に記載の発明によれば、光ピックアップ装置用の対物レンズを波長400nm程度の青紫色半導体レーザー光源と像側開口数ＮＡが０．８５程度の対物レンズを用いる、保護層０．１mm程度の高密度光ディスクに対して好適に用いることが出来る。
【００４８】
請求項２０に記載の発明は、請求項１３〜１９のいずれか一項に記載の対物レンズであって、前記第１プラスチックレンズ及び前記第２プラスチックレンズが、共に光源側に凸のメニスカスレンズであり、前記第２プラスチックレンズの光源側光学面の近軸曲率半径をｒ１、光情報記録媒体側光学面の近軸曲率半径をｒ２としたとき、次式（８）を満たすことを特徴とする。
【００４９】
１．０  ＜  （ｒ２＋ｒ１）／（ｒ２−ｒ１）  ＜  １．７    （８）
請求項２０に記載の発明によれば、前記第２プラスチックレンズの両面を共に光源側に凸なメニスカスレンズにし、それらの近軸曲率半径を（８）式下限より大きくすることで、前記第２プラスチックレンズの光記録媒体側光学面で発生する球面収差や、光軸外光線に対するコマ収差を補正することが出来、また、上限未満にすることで、前記第２プラスチックレンズの製造を容易にし、又、前記第２プラスチックレンズの光軸に対して垂直方向の移動に伴う波面収差の劣化を小さく抑えることが出来る。
【００５０】
請求項２１に記載の発明は、請求項１３〜２０のいずれか一項に記載の対物レンズであって、前記第１プラスチックレンズはその光学機能部よりも周辺側の部分に第１フランジ部を有し、前記第２プラスチックレンズはその光学機能部よりも周辺側の部分に第２フランジ部を有し、前記第１フランジ部の少なくとも一部と前記第２フランジ部の少なくとも一部を当接することで、前記第１プラスチックレンズと前記第２プラスチックレンズは一体化され、前記第１フランジ部を含めた前記第１プラスチックレンズの外径をＤ１（mm）、前記第２フランジ部を含めた前記第２プラスチックレンズの外径をＤ２(mm)と規定したとき、次式（６）を満たすと共に、前記第１プラスチックレンズが前記アクチュエータにより駆動されるボビンに保持されることを特徴とする。
【００５１】
Ｄ１  ＞  Ｄ２      （６）
請求項２１に記載の発明によれば、前記プラスチックレンズの光学機能部より周辺部にフランジを有しそれらを当接することで２群レンズをなす場合、新たに当接用の部品を作るよりもコストや2群レンズ組み立ての容易性において勝る。また、第1プラスチックレンズのほうが第2プラスチックレンズの光学機能部が大きいため、対物レンズの重心位置は、第２プラスチックレンズよりも、第１プラスチックレンズに近い側に位置することになる。そこで、第１フランジ部及び第２フランジ部の形状を式（６）を満たすように設定して、第１プラスチックレンズをボビンに保持させるようにすることで、安定したフォーカシングやトラッキングを行うことが出来る。この場合、第１プラスチックレンズが、光ピックアップ装置の動作中の熱源となるフォーカシングコイルやトラッキングコイルにより近い位置に配置されることになるため、第１プラスチックレンズ内に不均一な温度分布が生じやすくなるという不都合が生じるが、本発明による光ピックアップ装置では、対物レンズが上記の式（１）、（１´）、（２）又は（２´）を満たすように設計されているので、かかる対物レンズの温度分布の不均一性に起因して発生する非点収差変化を小さく抑えることが出来る。
【００５２】
請求項２２に記載の発明は、請求項２１に記載の対物レンズであって、前記第１プラスチックレンズの光源側の光学面の有効径をＥ１(mm)としたとき、次式（７）を満たすことを特徴とする。
【００５３】
０．４  ＜  Ｅ１／Ｄ１  ＜  ０．６５      （７）
請求項２２に記載の発明によれば、Ｅ１，Ｄ１を式（７）の上限未満にすることは対物レンズの外径に対する有効径の比を小さくすることを表し、光学機能部内における温度分布の不均一性が低減される。従って、本発明における光ピックアップ装置用の対物レンズにおいて、は、式（１）及び（７）あるいは、式（２）及び（７）を満たすことにより効果的に不均一な温度分布による非点収差変化を抑制することが可能となる。また、下限より大きくすることで、対物レンズの外径が大きくなりすぎることを防ぐ。
【発明の効果】
【００５４】
本発明によれば、２つのプラスチックレンズから構成された対物レンズ内に光軸に対し非回転対称な温度分布が発生した場合の非点収差の変化量が小さく、高密度光ディスクに対して安定した情報の記録／再生を行うことが出来る光ピックアップ装置、及びこの光ピックアップ装置を用いた光情報記録再生装置を得られる。
【００５５】
また、２つのプラスチックレンズから構成され、高密度光ディスクの光ピックアップ装置用の対物レンズとして好適な対物レンズであって、対物レンズ内に不均一な温度分布が生じた場合でも、非点収差の変化が小さく記録／再生に優れた対物レンズを得られる。
【発明を実施するための最良の形態】
【００５６】
以下、図を参照して本発明の対物レンズ、光ピックアップ装置及び光情報記録再生装置を実施するための最良の形態について詳細に説明する。
【００５７】
図１は、本実施の形態の光ピックアップ装置の概略図であり、光ピックアップ装置ＰＵは、光源としての青紫色半導体レーザーＬＤ、偏光ビームスプリッターＢＳ、１／４波長板ＷＰ、コリメーターＣＬ、絞りＳＴ、対物レンズＯＢＪ、フォーカシング／トラッキング用の２軸アクチュエータＡＣ、シリンドリカルレンズＣＹ、凹レンズＮＬ、及び光検出器ＰＤとから成る。尚、以下の説明において、便宜上、光軸方向に沿って光源に向かう方向を「前方」と表記し、光情報記録媒体に向かう方向を「後方」と表記する。
【００５８】
青紫色半導体レーザーＬＤから射出された発散光束は、偏光ビームスプリッターＢＳを通過し、コリメートレンズＣＬ及び１／４波長板ＷＰを経て円偏向の平行光束となった後、絞りＳＴにより光束径が規制され、対物レンズＯＢＪによって高密度光ディスクＯＤの保護層ＰＬを介して情報記録面ＲＬ上に形成されるスポットとなる。
【００５９】
情報記録面ＲＬで情報ピットにより変調された反射光束は、再び対物レンズＯＢＪ、絞りＳＴ、及び１／４波長板ＷＰを透過することにより直線偏光となり、コリメートレンズＣＬを経て収束光になった後、偏光ビームスプリッターＢＳによって反射され、シリンドリカルレンズＣＹ、凹レンズＮＬを経ることにより非点収差が与えられ、光検出器ＰＤに収束するそして、光検出器ＰＤの出力信号を用いて高密度光ディスクＯＤの情報記録面ＲＬに記録された情報を読み取ることが出来る。
【００６０】
尚、波長400nm程度のレーザー光を射出する光源として、青紫色半導体レーザーの代わりに、第二高調波発生法を利用したＳＨＧ青紫色レーザーを使用しても良い。
【００６１】
図２に示すように、対物レンズＯＢＪは青紫色半導体レーザーＬＤからのレーザー光束を高密度光ディスクＯＤの保護層ＰＬを介して情報記録面ＲＬ上に集光させる機能を有する。
【００６２】
対物レンズＯＢＪは、青紫色半導体レーザーＬＤ側に配置された正のパワー（屈折力）を有する第１プラスチックレンズＬ１と、高密度光ディスクＯＤ側に配置された正のパワーを有する第２プラスチックレンズＬ２とから構成される２群構成のプラスチックレンズであり、これら２つのプラスチックレンズを組み合わせて得られる像側開口数ＮＡは０．８５である。
【００６３】
尚、本発明で用いられる対物レンズＯＢＪとしては、少なくとも２群以上のプラスチック構成であれば良く、図２に示すよう様な２群のみの構成には限定されない。
【００６４】
更に、第１プラスチックレンズＬ１と、第２プラスチックレンズＬ２はその光学機能部（図２における斜線部）よりも周辺側の部分に、それぞれ光学機能部と一体に形成された第１フランジ部ＦＬ１と第２フランジ部ＦＬ２とを有しており、第１フランジ部ＦＬ１と第２フランジ部ＦＬ２の一部同士（図２において当接部Ｍ）を当接することで、第１プラスチックレンズＬ１と第２プラスチックレンズＬ２が一体化されている。
【００６５】
又、第１フランジ部ＦＬ１を含めた第１プラスチックレンズＬ１の外径Ｄ１(mm)は、第２フランジ部ＦＬ２を含めた第２プラスチックレンズの外径Ｄ２(mm)よりも大きく、式（６）を満たしている。
【００６６】
これにより、光源側に配置される第１プラスチックレンズＬ１の体積が第２プラスチックレンズＬ２の体積よりも大きくなるので、対物レンズの重心が、第２プラスチックレンズよりも第１プラスチックレンズに近い側に位置することになり、ボビンＢ（図３を参照）に保持された状態の対物レンズＯＢＪのアクチュエータＡＣによる駆動精度（位置決め精度）を向上させることが出来る。
【００６７】
図３(ａ),(ｂ)は、対物レンズＯＢＪ付近の詳細図である。対物レンズＯＢＪは、第１プラスチックレンズＬ１の第１フランジ部ＦＬ１の当接により、２軸アクチュエータＡＣで駆動されるボビンＢに保持されている。尚、２軸アクチュエータＡＣの動作は周知であるため説明を省略する。又、符号ＭＧはマグネットを示す。
【００６８】
通常、対物レンズＯＢＪの作動距離（ワーキングディスタンス）を確保する観点から、フォーカシングコイルＦＣ及びトラキングコイルＴＣは、対物レンズＯＢＪの後端（本実施の形態においては第２プラスチックレンズＬ２の出射面）よりも前方に配置されることが多く、また、フォーカシングコイルＦＣ及びトラッキングコイルＴＣの重心ＧＣ及びＧＣ'は、各コイルの前後方向の長さの中心近傍に位置することになる。
【００６９】
従って、フォーカシングコイルＦＣとトラッキングコイルＴＣは、その重心位置ＧＣとＧＣ'が第２プラスチックレンズＬ２の重心位置ＧＬ２よりも青紫色半導体レーザーＬＤ側に位置することになる。即ち、第１プラスチックレンズＬ１は、第２プラスチックレンズＬ２よりもフォーカシングコイルＦＣ及びトラッキングコイルＴＣに近い位置に配置することになる。
【００７０】
従って、光ピックアップ装置ＰＵの動作中には、フォーカシングコイルＦＣ及びトラッキングコイルＴＣから生じる熱の影響を受けて対物レンズＯＢＪの温度が上昇するが、図３に示すように、フォーカシングコイルＦＣ及びトラッキングコイルＴＣは、第２プラスチックレンズＬ２よりも第１プラスチックレンズＬ１に近い位置に配置され、且つ、対物レンズＯＢＪの光軸に関して非回転対称に取り付けられているため、対物レンズＯＢＪ内（特に、第１プラスチックレンズ内）には光軸に対して非回転対称な温度分布が生じる。
【００７１】
しかし、本発明に係る光ピックアップ装置ＰＵでは、対物レンズＯＢＪが上記式（１）、（１´）、（２）又は（２´）を満たすように設計されているので、対物レンズＯＢＪ内に不均一な温度分布が生じた場合でも、非点収差変化を小さく抑えることが出来、高密度光ディスクＯＤに対して安定した情報の記録／再生を行うことが可能となっている。
【００７２】
なお、第１プラスチックレンズＬ１の光源側光学面の有効径をＥ１、外径をＤ１とし、第２プラスチックレンズＬ２の外径をＤ２、とした時に、式（６）、（７）を満たすように第１プラスチックレンズＬ１及び第２プラスチックレンズＬ２を設計することが好ましい。
また、本実施の形態の対物レンズＯＢＪにおいては、前記第１プラスチックレンズＬ１及び前記第２プラスチックレンズＬ２共に青紫色半導体レーザー側に凸のメニスカスレンズと成っている。一般的に、２群構成の高ＮＡのプラスチック製の対物レンズでは、その形状を上記式（８）の下限より小さく設計すると、画角を有する光束がこの対物レンズに入射した際に、最終面（光情報記録媒体に最も近い光学面）において発生するコマ収差が大きくなり、光源の位置調整に対する公差が厳しくなってしまい、上記式（８）の上限より大きく設計すると、第２プラスチックレンズＬ２の光軸に垂直な方向への偏芯、つまり二つのプラスチックレンズの組み立てが厳しくなってしまう。しかし、第２プラスチックレンズＬ２を青紫色半導体レーザー側に凸のメニスカスレンズとし上記式（８）を満たすように設計すると上記コマ収差の発生を低減することが出来、光源の位置調整及び対物レンズＯＢＪの組み立て精度に対する公差を緩和することが可能となる。
【００７３】
また、図示は省略するが、上述した光ピックアップ装置ＰＵ、光情報記録媒体ＯＤを回転自在に保持する回転駆動装置、これら各種装置の駆動を制御する制御装置を搭載し、光情報記録媒体ＯＤに対する光情報の記録及び光情報記録媒体ＯＤに記録された情報の再生のうち少なくとも一方の実行が可能な光情報記録再生装置を得ることが出来る。
【実施例】
【００７４】
次に、上述した対物レンズとして好適な対物レンズについて説明する。先ず、式（１）、（１´）、（２）又は（２´）を満たすように設計されたレンズを実施例１〜３として表１〜３に示し、式（１）、（１´）、（２）及び（２´）を満たさないように設計された対物レンズを比較例として表４に示す。また、実施例１〜３及び比較例における各式の値を表５に示す。
【００７５】
【表１】
2005085423.tif 000003
【００７６】
【表２】
2005085423.tif 000004
【００７７】
【表３】
2005085423.tif 000005
【００７８】
【表４】
2005085423.tif 000006
【００７９】
【表５】
2005085423.tif 000007
表１〜表４においてNAは開口数、λ(nm)は設計波長、f(mm)は焦点距離、mは対物レンズ全系の倍率、r(mm)は曲率半径、nは設計波長に対する25℃での屈折率、νdはｄ線におけるアッベ数、Δn/ΔT[1/℃]はプラスチックレンズの屈折率の温度依存性を表し、非球面はその面の頂点に接する平面からの変形量をＸ(mm)、光軸に垂直な方向の高さをｈ(mm)、曲率半径をr(mm)とするとき、次の数１で表される。但し、κを円錐係数、A2iを非球面係数とする
【００８０】
【数１】
2005085423.tif 000008
次に、上述した実施例１乃至３及び比較例の対物レンズにおける、光軸に対し非回転対称な温度分布がレンズ内に発生した場合の、非点収差変化のシミュレーション方法について説明する。
【００８１】
プラスチックレンズ内に発生した温度分布は、屈折率分布に置き換えて記述することが出来る。図５（ｂ）において、対物レンズＯＢＪの上下（Ｐ３とＰ４の外側）に巨大なヒートシンク（光ピックアップ装置ＰＵの動作中のコイルに相当）がある場合を想定し、第１プラスチックレンズＬ１内、及び、第２プラスチックレンズＬ２内に発生する屈折率分布Ｎ1（h）及びＮ2（h）を、ＣＬに沿った方向の光軸からの高さｈの関数として、
Ｎ1（h）＝Ｎ01＋Ｎh1・ｈ2          （Ａ）
Ｎ2（h）＝Ｎ02＋Ｎh2・ｈ2          （Ｂ）
で表す。
【００８２】
ここで、Ｎ01及びＮ02は、ＣＬ'と光軸を含む平面（ｈ＝０）内での第１プラスチックレンズＬ１及び第２プラスチックレンズＬ２の屈折率（表１乃至表３におけるｎに等しい）であり、Ｎh1及びＮh2は、第１プラスチックレンズＬ１及び第２プラスチックレンズＬ２内における、光軸からの高さｈに対する屈折率変化率であり、その符号は負である。
【００８３】
即ち、（Ａ）、（Ｂ）式で表現される屈折率分布（温度分布）は、第１プラスチックレンズＬ１及び第２プラスチックレンズＬ２内の屈折率（温度）が、光軸からの高さｈの２乗で小さく（高く）なるような分布である。
【００８４】
尚、ＣＬ'と光軸を含む平面（ｈ＝０）内での第１プラスチックレンズＬ１及び第２プラスチックレンズＬ２の屈折率分布は均一であるので、図５におけるＰ１、Ｐ２、Ｐ５、Ｐ６の温度であるＴ１、Ｔ２、Ｔ５、Ｔ６は全て等しい。
【００８５】
従って、（３）、（４）式におけるＴＨは、Ｐ３、Ｐ４での温度であるＴ３、Ｔ４に等しく、ＴＬはＰ５、Ｐ６での温度であるＴ５、Ｔ６に等しく、ＴＣはＰ１、Ｐ２での温度であるＴ１、Ｔ２に等しい。
【００８６】
以上のような屈折率分布モデルにおいて、実施例１乃至３及び比較例の対物レンズに関して、Ｐ３、Ｐ４での温度Ｔ３、Ｔ４と、ＣＬ'と光軸を含む平面（ｈ＝０）内での温度（＝Ｔ１＝Ｔ２＝Ｔ５＝Ｔ６）との差（＝ＴＲ）を横軸にとり、各温度差に対する３次非点収差をプロットしたのが図４である。
【００８７】
尚、本シミュレーションにおける屈折率分布モデルでは、Ｔ１、Ｔ２、Ｔ５、Ｔ６、は全て等しいので、周方向の温度分布ＴＰと、光軸に垂直な方向の温度分布ＴＲは等しくなる。
【００８８】
図４から、ＴＲが２℃の状態で次非点収差の発生量がマレシャル限界である０．０７λＲＭＳを超える３次非点収差が発生する比較例に対し、（１）、（２）式を満たす実施例１乃至３では、３次非点収差の発生量が低減されていることがわかる。
【００８９】
特に、（１）'、（２）'、（８）式を満たす実施例３では、３次非点収差の発生量が比較例に対して半分以下に低減されている。
【００９０】
尚、（Ａ）、（Ｂ）式に関して、実施例１についての具体的な数値は以下のようになる。
第1プラスチックレンズＬ１の屈折率の温度依存性Δｎ／ΔＴは−１．１E−４であるので、ＴＲが２℃の場合には、Ｐ３、Ｐ４（h＝２．４）での屈折率Ｎ1（ｈ＝２．４）は、１．５２４７−１．１E−４×２＝１．５２４４８となる。
【００９１】
従って、光軸からの高さｈに対する屈折率変化率Ｎh1は、１．５２４４８＝１．５２４７＋Ｎh1・２．４2より、Ｎh1＝−３．８２E−５となる。
【００９２】
同様に第2プラスチックレンズＬ２についても計算すると、第2プラスチックレンズＬ２の屈折率の温度依存性性Δｎ／ΔＴは、第1プラスチックレンズＬ１と同じであるので、Ｎh2＝−３．８２E−５となる。
【００９３】
このことから、実施例１、２及び３の対物レンズは、式（１）、（１´）、（２）又は（２´）を満たすことにより、アクチュエータの発熱に起因して対物レンズ内に不均一な温度分布が生じた場合にも非点収差変化量が小さく抑えられており、高密度光ディスク用の光ピックアップ装置用の対物レンズとして十分な性能を有していることが言える。
【図面の簡単な説明】
【００９４】
【図１】光ピックアップ装置の構成を示す要部平面図である。
【図２】対物レンズの構造を示す要部側面図である。
【図３】アクチュエータの構造を示す要部平面図（ａ）及び要部縦断面図（ｂ）である。
【図４】実施例１乃至３及び比較例の対物レンズにおけるＴＲと３次非点収差との関係を示すグラフである。
【図５】「不均一な温度分布」について説明するための対物レンズの正面図（ａ）、側面図（ｂ）及び背面図（ｃ）である。
【符号の説明】
【００９５】
ＡＣ    アクチュエータ
Ｂ      ボビン
ＦＣ    フォーカシング用のコイル
ＦＬ１  第１フランジ部
ＦＬ２  第２フランジ部
ＬＤ    光源
Ｌ１    第１プラスチックレンズ
Ｌ２    第２プラスチックレンズ
ＯＢＪ  対物レンズ
ＯＤ    光情報記録媒体
ＰＵ    光ピックアップ装置
ＲＬ    情報記録面
ＴＣ    トラッキング用のコイル
【図１】
2005085423.tif 000009
【図２】
2005085423.tif 000010
【図３】
2005085423.tif 000011
【図４】
2005085423.tif 000012
【図５】
2005085423.tif 000013